(57)【特許請求の範囲】
【請求項１】
平面視略矩形状に形成された複数の矩形床部と、平面視略三角形状に形成され、隣接する矩形床部と同一長さの側縁部を有する複数の三角床部とを交互に並設することによって、平面視略円弧状の床が形成され、この床の外周縁部と内周縁部とに沿って、複数の木質構造用パネルを断面コ字状となるように組み立てて形成した中空柱が、所定の間隔で複数立設されていることを特徴とする建物。
【請求項２】
請求項１に記載の建物において、
前記複数の中空柱は、前記床の外周縁部および内周縁部よりも平面視において外側に突出して立設されていることを特徴とする建物。
【請求項３】
請求項１または２に記載の建物において、
前記複数の矩形床部は、幅広に形成された複数の第１矩形床部と、この第１矩形床部よりも幅狭に形成された複数の第２矩形床部とを有しており、
これら第１矩形床部および第２矩形床部は交互に並設されているとともに、並設された第１矩形床部と第２矩形床部との間に、前記三角床部が配置されていることを特徴とする建物。
【請求項４】
請求項３に記載の建物において、
前記複数の中空柱は、開放された一面を平面視において前記床側に向けて、前記複数の第２矩形床部の両端部にそれぞれ立設されていることを特徴とする建物。
【請求項５】
請求項１〜４のいずれか一項に記載の建物において、
前記中空柱の開放された一面に、この開放された一面を開閉する扉が設けられていることを特徴とする建物。
【発明の詳細な説明】
【技術分野】
【０００１】
本発明は、住宅等の建物に関する。
【背景技術】
【０００２】
近年、住宅等の建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。
【０００３】
このようなパネル工法で構築される住宅において、例えば家屋下のガレージ等、幅広の開口が要求される場合には、水平方向に伸びる梁部と、梁部の両端から鉛直下方に伸びる柱部とからなる門型パネルが適用される。また、所定間隔をおいて１対の門型パネルを対向させ、両者の柱部を壁パネルで結合するとともに、梁部を床パネルで結合した門型パネルユニットを用いるものもある（例えば、特許文献１参照）。
【特許文献１】特許第２５６５６２６号公報
【発明の開示】
【発明が解決しようとする課題】
【０００４】
ところで、従来より、建物の採光性や通気性を良くしたいという要望に対しては、奥行きに比べて間口の大きい南向きの建物とすることや、通気のし易い大きな窓を設けたり、天井に採光部を設けたりすることなどが行われている。また、建物内部において開放感を得たいという要望に対しては、部屋と部屋とを隔てる壁を可能な限り少なくすることなどが行われている。
【０００５】
ところが、採光性や通気性の向上または開放感を得るために、上述のように大きな窓を設けたり、壁を少なくしたり等の方法を採用した場合、建物自体の強度が低下してしまう場合があった。また、上記特許文献１に記載のような門型パネルユニットを用いても、建物自体の強度を低下させることなく採光性や通気性を向上させるのには限界がある。
その上、近年では居住性および機能性等の基本的な要素に加え、住宅そのもののデザイン性にも配慮することが求められており、これら問題点を解決し得る技術の開発が強く望まれていた。
【０００６】
本発明の課題は、建物自体の強度を低下させることなく、採光性や通気性を向上させることができるとともに開放感を得ることができ、デザイン性にも優れる建物を提供することを目的とする。
【課題を解決するための手段】
【０００７】
請求項１に記載の発明は、例えば図１〜図３に示すように、平面視略矩形状に形成された複数の矩形床部２と、平面視略三角形状に形成され、隣接する矩形床部２と同一長さの側縁部を有する複数の三角床部３とを交互に並設することによって、平面視略円弧状の床１が形成され、この床１の外周縁部１ａと内周縁部１ｂとに沿って、複数の木質構造用パネルを断面コ字状となるように組み立てて形成した中空柱４が、所定の間隔で複数立設されていることを特徴とする。
【０００８】
請求項１に記載の発明によれば、複数の木質構造用パネルを断面コ字状となるように組み立てることによって前記中空柱４が形成され、しかも、このような中空柱４が、前記床１の外周縁部１ａと内周縁部１ｂとに沿って複数立設されているので、建物Ａ自体の強度を十分に確保することができる。
また、このように複数の中空柱４が、平面視略円弧状に形成された床１の外周縁部１ａと内周縁部１ｂとに沿って所定の間隔で立設されているので、隣接する中空柱４どうし間が幅広な開口となり、この幅広な開口に大きな窓１０を設けることができ、これによって建物Ａの採光性や通気性を向上させることができる。
さらに、前記複数の中空柱４が、前記床１の外周縁部１ａと内周縁部１ｂとに沿って所定の間隔で立設されているので、これら複数の中空柱４に囲まれた前記床１上に、部屋と部屋とを隔てる壁を可能な限り少なくしたオープンスペースを形成することができ、建物Ａの内部において開放感を得ることができる。
その上、前記床１が平面視略円弧状に形成されることによって、この床１上に位置する天井や屋根Ａ３等を平面視略円弧状に形成できるとともに、これら床１や天井、屋根Ａ３の形状に合わせて壁Ａ４を曲面状に形成することができるので、外観および内観におけるデザイン性に優れる。
また、このように前記複数の矩形床部２と複数の三角床部３とを交互に並設するだけで、床１を平面視略円弧状に形成することができるので、例えば複数の床材を円弧状に加工製造して平面視略円弧状の床１を形成する場合に比して、効率良くデザイン性の向上を図ることができる。
【０００９】
請求項２に記載の発明は、例えば図１および図２に示すように、請求項１に記載の建物Ａにおいて、
前記複数の中空柱４は、前記床１の外周縁部１ａおよび内周縁部１ｂよりも平面視において外側に突出して立設されていることを特徴とする。
【００１０】
請求項２に記載の発明によれば、前記複数の中空柱４は、前記床１の外周縁部１ａおよび内周縁部１ｂよりも平面視において外側に突出して立設されているので、内側に突出して立設される場合に比して、建物Ａの内部空間を広くとることができる。これによって、より一層の開放感を得ることができる。
【００１１】
請求項３に記載の発明は、例えば図３に示すように、請求項１または２に記載の建物Ａにおいて、
前記複数の矩形床部２は、幅広に形成された複数の第１矩形床部２ａと、この第１矩形床部２ａよりも幅狭に形成された複数の第２矩形床部２ｂとを有しており、
これら第１矩形床部２ａおよび第２矩形床部２ｂは交互に並設されているとともに、並設された第１矩形床部２ａと第２矩形床部２ｂとの間に、前記三角床部３が配置されていることを特徴とする。
【００１２】
請求項３に記載の発明によれば、並設された第１矩形床部２ａと第２矩形床部２ｂとの間に、前記三角床部３が配置されるので、前記第１矩形床部２ａよりも幅狭に形成された第２矩形床部２ｂの両側縁部に三角床部３が位置することになり、第２矩形床部２ｂ付近における床１の外周縁部１ａを、より平滑な曲線に近づけることができる。
また、このように、並設された第１矩形床部２ａと第２矩形床部２ｂとの間に、前記三角床部３を配置するだけで、床１を平面視略円弧状に形成することができるので、例えば複数の床材を円弧状に加工製造して平面視略円弧状の床１を形成する場合に比して、より効率良くデザイン性の向上を図ることができる。
【００１３】
請求項４に記載の発明は、例えば図１〜図３に示すように、請求項３に記載の建物Ａにおいて、
前記複数の中空柱４は、開放された一面を平面視において前記床１側に向けて、前記複数の第２矩形床部２ｂの両端部にそれぞれ立設されていることを特徴とする。
【００１４】
請求項４に記載の発明によれば、前記複数の中空柱４は、開放された一面を平面視において前記床１側に向けて立設されているので、中空柱４の内部を建物Ａ内における収納部として用いることができるとともに、外部の視線から前記中空柱４の内部を遮蔽することができて景観性に優れる。
また、前記複数の中空柱４は、前記複数の第２矩形床部２ｂの両端部にそれぞれ立設されているので、前記複数の第２矩形床部２ｂどうし間の距離や、第２矩形床部２ｂの両端部間の距離に合わせて、所定の間隔で連続的に並設配置することができ、より一層デザイン性に優れる。
【００１５】
請求項５に記載の発明は、例えば図１および図２に示すように、請求項１〜４のいずれか一項に記載の建物Ａにおいて、
前記中空柱４の開放された一面に、この開放された一面を開閉する扉４ａが設けられていることを特徴とする。
【００１６】
請求項５に記載の発明によれば、前記中空柱４の開放された一面を開閉する扉４ａが設けられているので、前記中空柱４の内部を遮蔽することができる。すなわち、例えば前記中空柱４の内部を収納部として用いた場合等において中空柱４の内部を隠すことができるので、より一層景観性に優れる。
【発明の効果】
【００１７】
本発明によれば、複数の木質構造用パネルを断面コ字状となるように組み立てることによって中空柱が形成され、しかも、このような中空柱が、平面視略円弧状に形成された床の外周縁部と内周縁部とに沿って所定の間隔で複数立設されているので、建物自体の強度を十分に確保することができ、さらに隣接する中空柱どうし間に幅広な開口を設け、採光性や通気性を向上させることができる。
また、前記複数の中空柱に囲まれた前記床上に、部屋と部屋とを隔てる壁を可能な限り少なくしたオープンスペースを形成することができ、建物の内部において開放感を得ることができる。
その上、前記床が平面視略円弧状に形成されることによって、この床上に位置する天井や屋根等を平面視略円弧状に形成できるとともに、床や天井、屋根の形状に合わせて壁を曲面状に形成することができるので、外観および内観におけるデザイン性に優れる。
【発明を実施するための最良の形態】
【００１８】
以下、図面を参照して本発明に係る建物Ａの実施の形態について説明する。なお、本実施の形態の建物Ａは２階建てとなっており、図１が１階Ａ１の平面図で、図２が２階Ａ２の平面図となっている。
【００１９】
また、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
そして、このパネルとは、縦横の框材が矩形状に組み立てられるとともに、矩形枠の内部に補助棧材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２０】
本実施の形態の建物Ａは、図１〜図３に示すように、平面視略矩形状に形成された複数の矩形床部２と、平面視略三角形状に形成され、隣接する矩形床部２と同一長さの側縁部を有する複数の三角床部３とを交互に並設することによって、平面視略円弧状の床１が形成され、この床１の外周縁部１ａと内周縁部１ｂとに沿って、複数の木質構造用パネルを断面コ字状となるように組み立てて形成した中空柱４が、所定の間隔で複数立設されている。
【００２１】
すなわち、前記複数の中空柱４が、平面視略円弧状に形成された床１の外周縁部１ａと内周縁部１ｂとに沿って所定の間隔で立設されることで、隣接する中空柱４どうし間が幅広な開口となり、この幅広な開口に大きな窓１０が設けられている。
なお、建物Ａの２階Ａ２においては、２階Ａ２の床１の外周縁部１ａに沿ってバルコニー１１が設けられているため、前記複数の中空柱４は設けられていないが、これら中空柱４にかわる木質構造用パネルの壁１２が複数設けられている。
【００２２】
さらに、複数の中空柱４に囲まれた前記床１上に、部屋と部屋とを隔てる壁１３を可能な限り少なくした開放感のあるオープンスペースが形成されている。このようなオープンスペース内には、図１に示すように、リビング１４やダイニング１５、キッチン１６、浴室１７、玄関１８、階段１９，２０等が設けられている。そして、前記床１の外周部側に沿ってデッキ部２１が設けられている。
また、前記リビング１４の上部には、１階Ａ１から２階Ａ２に吹き抜ける吹き抜け部２２が設けられており、さらに開放感を高めることができるようになっている。
【００２３】
また、このようなオープンスペースは、図２に示す建物Ａの２階Ａ２のように、壁１３を設置して複数の個室２３〜２７や、これら個室２３〜２７をつなぐ廊下２８等が設けられるようにしても良い。例えば、これら２階Ａ２の複数の個室２３〜２７を寝室として用いる場合においては、部屋と部屋とを隔てる壁１３があることでプライバシーを確保することができる。
【００２４】
一方、前記床１が平面視略円弧状に形成されているので、図１〜図４に示すように、この床１上に位置する天井や屋根Ａ３等も平面視略円弧状に形成されており、これら床１や天井、屋根Ａ３の形状に合わせて壁Ａ４が曲面状に形成されている。
【００２５】
ここで、前記複数の矩形床部２は、図３に示すように、幅広に形成された複数の第１矩形床部２ａと、この第１矩形床部２ａよりも幅狭に形成された複数の第２矩形床部２ｂとを有しており、これら第１矩形床部２ａおよび第２矩形床部２ｂは交互に並設される。
【００２６】
前記第１矩形床部２ａは、幅広に形成されているので、例えばテーブルやソファ等を設置したり、キッチン１６や浴室１７を設けたり等、主要な居住区域の床１として役割を果たすことができる。なお、この第１矩形床部２ａは、複数の床パネルを組み合わせることによって形成されている。
【００２７】
また、前記第２矩形床部２ｂは、第１矩形床部２ａどうし間に位置し、かつ幅狭に形成されているので、例えばリビング１４と玄関１８とを仕切る扉を設けたり、２階Ａ２に上がる階段１９，２０を設けたり等の役割を果たすことができる。なお、この第２矩形床部２ｂは、複数の床パネルを組み合わせることによって形成されている。
【００２８】
前記三角床部３は、並設された第１矩形床部２ａと第２矩形床部２ｂとの間に配置されており、隣接する第１矩形床部２ａの側縁部および第２矩形床部２ｂの側縁部と同一長さの側縁部を有している。すなわち、このように第１矩形床部２ａと、第２矩形床部２ｂと、三角床部３とが並設されることによって平面視略円弧状の床１が形成されるようになっている。
【００２９】
なお、この三角床部３は、組み合わせることによって平面視略三角形状となるような複数の床パネルによって形成されている。また、製造・輸送・施工等において問題がなければ、一枚物の三角床パネルとして形成しても良い。
また、この三角床部３を大きい三角形や小さい三角形の三角床部３に変えることによって、前記床１の角度を調整することができるようになっている。
【００３０】
そして、並設された第１矩形床部２ａと第２矩形床部２ｂとの間に、前記三角床部３が配置されるので、前記第１矩形床部２ａよりも幅狭に形成された第２矩形床部２ｂの両側縁部に三角床部３が位置することになり、第２矩形床部２ｂ付近における床１の外周縁部１ａを、より平滑な曲線に近づけることができる。
【００３１】
また、並設された第１矩形床部２ａと第２矩形床部２ｂとの間に、前記三角床部３を配置するだけで、床１を平面視略円弧状に形成することができるので、例えば複数の床材を円弧状に加工製造して平面視略円弧状の床１を形成する場合に比して、効率良くデザイン性の向上を図ることができる。
【００３２】
一方、図１および図２に示すように、前記中空柱４は、上述したように複数の木質構造用パネルを断面コ字状となるように組み立てることによって形成されている。これによって、木質構造用パネルを単独で用いた場合に比して、格段に強度を向上させることができるようになっている。
【００３３】
また、前記複数の中空柱４は、前記床１の外周縁部１ａおよび内周縁部１ｂよりも平面視において外側に突出して立設されている。これにより、これら複数の中空柱４が内側に突出して立設された場合に比して、建物Ａの内部空間を広くとることができる。これによって、より一層の開放感を得ることができる。
【００３４】
さらに、前記複数の中空柱４は、図１〜図３に示すように、開放された一面を平面視において前記床１側に向けて、前記複数の第２矩形床部２ｂの両端部にそれぞれ立設されている。
これによって、中空柱４の内部を建物Ａ内における収納部として用いることができるとともに、外部の視線から前記中空柱４の内部を遮蔽することができ、景観性に優れる。
また、前記複数の中空柱４は、前記複数の第２矩形床部２ｂの両端部にそれぞれ立設されているので、前記複数の第２矩形床部２ｂどうし間の距離や、第２矩形床部２ｂの両端部間の距離に合わせて、所定の間隔で連続的に並設配置することができ、より一層デザイン性に優れる。
【００３５】
そして、図１および図２に示すように、前記中空柱４の開放された一面には、この開放された一面を開閉する扉４ａが設けられている。
これによって、前記中空柱４の内部を遮蔽することができる。すなわち、例えば前記中空柱４の内部を収納部として用いた場合等において中空柱４の内部を隠すことができるので、より一層景観性に優れる。
【００３６】
なお、中空柱４の内部は、上述のように収納部として用いることができる他、例えば、空気の吹き出し口が形成された扉４ａを設けて冷暖房機置き場として用いたり、蓄熱材を収納して前記中空柱４自体を蓄熱体として用いたり、また、外部に通じる排気口を設けて通風・換気塔としたり、防火処理を施して暖炉や煙突スペースとしたり等、様々な用途に用いることが可能となっている。
【００３７】
なお、本実施の形態の建物Ａの間取りは以上のように構成されているが、これに限られるものではなく、本発明の趣旨を逸脱しない範囲で適宜変更可能であることは言うまでもない。
【００３８】
本実施の形態によれば、複数の木質構造用パネルを断面コ字状となるように組み立てることによって中空柱４が形成され、しかも、このような中空柱４が、平面視略円弧状に形成された床１の外周縁部１ａと内周縁部１ｂとに沿って所定の間隔で複数立設されているので、建物Ａ自体の強度を十分に確保することができ、さらに隣接する中空柱４どうし間に幅広な開口を設け、採光性や通気性を向上させることができる。
また、前記複数の中空柱４に囲まれた前記床１上に、部屋と部屋とを隔てる壁を可能な限り少なくしたオープンスペースを形成することができ、建物Ａの内部において開放感を得ることができる。
その上、前記床１が平面視略円弧状に形成されることによって、この床１上に位置する天井や屋根Ａ３等を平面視略円弧状に形成できるとともに、床１や天井、屋根Ａ３の形状に合わせて壁Ａ４を曲面状に形成することができるので、外観および内観におけるデザイン性に優れる。
また、このように前記複数の矩形床部２と複数の三角床部３とを交互に並設するだけで、床１を平面視略円弧状に形成することができるので、例えば複数の床材を円弧状に加工製造して平面視略円弧状の床１を形成する場合に比して、効率良くデザイン性の向上を図ることができる。
【図面の簡単な説明】
【００３９】
【図１】本発明の建物の１階を示す平面図である。
【図２】本発明の建物の２階を示す平面図である。
【図３】床の構成を示す平面図である。
【図４】本発明の建物の外観を示す立面図である。
【符号の説明】
【００４０】
Ａ  建物
１  床
１ａ  外周縁部
１ｂ  内周縁部
２  矩形床部
２ａ  第１矩形床部
２ｂ  第２矩形床部
３  三角床部
４  中空柱
【図１】
0004796403.tif 000002
【図２】
0004796403.tif 000003
【図３】
0004796403.tif 000004
【図４】
0004796403.tif 000005